(57)【要約】【課題】  水流抵抗を利用し、魚類のフラッシュ効果に対する反応を刺激し針掛かりさせることによって、釣果の増大を図る。【解決手段】眼球部に水流により回転可能な多面体の眼球を有し、水流を利用し回転させ、魚類の目の動きに対する反応を喚起させるとともに、顔面下顎部を水流抵抗を利用し開閉させることにより魚類の口の動きに対する反応を誘い、合わせてルアー体側に突き出た前後にスライド可能な抵抗板を持つ内部構造部品を、水流抵抗とスプリングの収縮を利用し前後に移動させることにより、体側に縦縞を出現させたり消滅させたりすることによって、魚類の模様に対する反応を劇的に起こさせ攻撃させることにより針掛かりさせる。【選択図】図１
2010284145.tif 000002
【特許請求の範囲】
【請求項１】
穴の開いた眼球部上下にワッシャーを有し、そのワッシャー間に水流により回転する多面体の眼球をルアー本体頭部を貫通する割りピンで止めた構造を持つルアー
【請求項２】
顔面顎部の上顎部分にスプリングで接続されるとともに、割りピンにてルアー本体の鰓部に装着された金属製の下顎部品を有し、水流抵抗の強弱により下方向に開閉する請求項１のルアー
【請求項３】
縦に切り込み開口部をもったルアー外側部品とスプリングにより前記部品と連結され、水流抵抗を利用するために外側に張り出した抵抗板と間隔を空けた縦縞を持つ内部部品との組み合わせにより、水流を利用し、内部部品を後部にスライドさせたり、スプリングにより前部にスライドさせたりすることにより、ルアー体側に縦縞模様の出現と消滅を、繰り返し演出させることを可能とする請求項１のルアー
【発明の詳細な説明】
【技術分野】
【０００１】本発明は、魚釣りにおいて餌に代わって使用するルアーに関するものである。
【背景技術】
【０００２】今までのルアーは、ルアー本体下部にリップ状の突起物を有するあるいは側面に当方が特許登録している可動式の鰭（特許第３４８７８３２号）を有するものあるいはルアー本体を分割しそれらを繋ぐジョイント型等のものであった。
【特許文献】特開２００２−２８１８６７号広報
【特許文献】特開２００５−１８５２５４号広報
【特許文献】特開２００５−２０４５７６号広報
【特許文献】特開２００５−２１８３１４号広報
【特許文献】特開２００５−３４８６７３号広報
【特許文献】特開２００５−３４８６８７号広報
【特許文献】特開２００６−４２６３３号広報
【特許文献】特開２００６−６１９９号広報
【発明の開示】
【発明が解決しようとする課題】
【０００３】今までのルアーはルアー本体に水流の抵抗を受けるためのものを装着することにより、魚の泳ぎを演出しようとするものであり、魚類のより厳密な生態学をもとにしたものではなかった。【０００４】本発明においては三点にわたって、生態学見地から見た魚類のフラッシュ効果への反応を利用し、釣果につなげようとするものである。
【課題を解決するための手段】
【０００５】穴のあいたルアー本体の眼球部に多面体の眼球を模したプラスチック球とその上下に各１枚ずつのワッシャーを頭部より貫通した割りピンにて装着する。【０００６】ルアー上顎部分に、スプリングで接続され、割りピンにてルアー本体鰓部に止められた金属製の下顎部品を装着する。【０００７】ルアー内部にスプリングを装着し、それにルアー本体体側外側に張り出し水流抵抗を受けることを目的とする抵抗板を有する内部部品をつなげ、水流を利用してこの内部部品を後部にスライドさせたり、リールの巻き取りあるいは竿の前部への引きを停止させたりし、水流抵抗を弱めることにより、内部部品前部に連結されているスプリングの収縮により、この部品を前部にスライドさせる構造をルアー全体としてもたせる。
【発明の効果】
【０００８】眼球部に多面体の眼球を用い水流の変化により、眼球を回転させたり止めたりすることにより、眼球が、動く、止まるというフラッシュ効果を演出し、魚類の反応行動を触発しルアーに対する反応行動を起こさせることにより、針掛かりさせることが可能となる。【０００９】顔面下顎が強い水流抵抗では開き、抵抗が減少すると口腔内上下に取り付けられたスプリングの収縮により閉じると言う動作を繰り返すことにより、魚類にとっての動きの変化と言うフラッシュ効果に対する反応を刺激し、ルアーに対する行動を引き起こさせ針掛かりを可能とさせる。【００１０】縦に切り込み開口部をもったルアー外側部品とスプリングにより前記部品と連結され、水流抵抗を利用するために外側に張り出した抵抗板および間隔をおいた縦縞を持つ内部部品の組み合わせにより、強い水流抵抗においては、抵抗板に対する抵抗によっては内部部品が後部にスライドし、抵抗の減少によっては外側部品と連結されたスプリングの収縮により内部部品が前部にスライドすることが繰り返され、ルアー体側に縦縞が出現したり、消失したりするという体の模様の変化というかたちでの魚類にとってのフラッシュ効果を演出し、それに対する魚類の反応を刺激し、針掛かりさせることが可能となる。
【発明を実施するための最良の形態】
【００１１】眼球の動き、下顎の開閉の動き、体側の縦縞模様の出現、消滅の動きという魚類におけるフラッシュ効果をルアーの機能として取り入れることにより、従来のルアーとはまったく違った形、機能のルアーを実現した。
【実施例１】
【００１２】以下、本発明の実施例を図面に基づいて説明する。図１は、本ルアーを斜め上方より見た全体図である。【００１３】図２は本ルアー顔面眼球部に上下にワッシャーを、その間に水流により回転する多面体の眼球を入れ回転によるフラッシュ効果を図るものである。【００１４】図３は顔面顎内部において、下顎が水流抵抗の強弱により下方向に開閉が可能なように、口腔内に上下にスプリングを装着したものであり、口の上下の動きによるフラッシュ効果を演出するものである。【００１５】図４は縦に切り込み開口部を持つルアー外側部品の外側のものであり、間を空けた縦縞を持つ内側部品との組み合わせにより、ルアー体側に縦縞の出現、消失を演出する。【００１６】図５はルアー外側部品の内部の図であり、内側部品との組み合わせにより、ルアー体側の縦縞の出現、消失を演出する。【００１７】図６は外側部品とスプリングで連結する、隙間を空けた縦縞を持つ内部部品の図であり、外部部品との組み合わせにより、ルアー体側の縦縞の出現、消失を演出する。
【産業上の利用可能性】
【００１８】釣りにおける生き餌という管理が極めて面倒なものに代わり、広汎な状況下の釣りにおいて魚類のフラッシュ効果への反応という特性を利用し、餌の代わりとして安定的に使用可能である。
【図面の簡単な説明】
【００１９】
【図１】本発明を斜め上方より見た全体図である。
【図２】ルアー顔面眼球部の図である。
【図３】ルアー顔面顎部の図である。
【図４】ルアー外側外部の図である。
【図５】ルアー外側内部の図である。
【図６】ルアー内側スライド部品の図である。
【図７】下顎部可動部品の図である。
【符号の説明】
【００２０】    １・・・眼球部穴
２・・・割りピン
３・・・ワッシャー
４・・・多面体眼球
５・・・ワッシャー
６・・・下顎金属部品
７・・・割りピン
８・・・割りピン用穴
９・・・開口部
１０・・・開口部
１１・・・開口部
１２・・・開口部
１３・・・水流抵抗用スライド板
１４・・・下顎開閉用スプリング
１５・・・スプリング
１６・・・割りピン
１７・・・ルアー内部スライド部品
１８・・・縦縞
１９・・・縦縞
２０・・・縦縞
２１・・・下顎金属部品止ピン用穴
２２・・・スプリング止用穴
【図１】
2010284145.tif 000003
【図２】
2010284145.tif 000004
【図３】
2010284145.tif 000005
【図４】
2010284145.tif 000006
【図５】
2010284145.tif 000007
【図６】
2010284145.tif 000008
【図７】
2010284145.tif 000009